(57)【要約】【課題】  番組に関連付けされたＷｅｂページのコンテンツ情報を、録画時に番組と関連付けて記録可能とする。【解決手段】  番組に関連付けされた関連Ｗｅｂページがある場合、関連Ｗｅｂページのコンテンツ情報をＷｅｂサーバ２０００から取得し、Ｗｅｂページ蓄積部１００６に蓄積する。蓄積したコンテンツ情報と録画番組との対応は対応情報保持部１００５に記憶しておく。番組のデータは番組録画装置３０００へ出力し、録画を行う。関連Ｗｅｂページの蓄積をどのタイミングで行うかは、ユーザが設定可能である。【選択図】  図１
2008136168.tif 000002
【特許請求の範囲】
【請求項１】
指定されたＷｅｂページにアクセスし、当該Ｗｅｂページのコンテンツ情報を取得可能なコンテンツ取得手段と、
録画する放送プログラムに、関連付けされた関連Ｗｅｂページがあるか否かを確認する確認手段と、
前記放送プログラムの放映中、前記放送プログラムのデータを録画装置に出力する出力手段と、
前記関連Ｗｅｂページがある場合、前記コンテンツ取得手段を用いて前記関連Ｗｅｂページのコンテンツ情報を取得し、前記放送プログラムと対応付けて蓄積手段に蓄積する制御手段と、を有し、
前記制御手段は、前記放送プログラムのデータを録画装置に出力中に、前記関連Ｗｅｂページが更新されたか否かを判定し、Ｗｅｂページが更新されたと判定した場合に更新されたＷｅｂページのコンテンツ情報を前記放送プログラムと対応付けて前記蓄積手段に蓄積することを特徴とするコンテンツ格納制御装置。
【請求項２】
前記制御手段は、Ｗｅｂページが更新されたと判定した場合に更新されたＷｅｂページのコンテンツ情報を前記放送プログラムと対応付けて前記蓄積手段に蓄積するか、所定のタイミングでＷｅｂページのコンテンツ情報を前記放送プログラムと対応付けて前記蓄積手段に蓄積するかを選択可能とする設定画面を提示することを特徴とする請求項１に記載のコンテンツ格納制御装置。
【請求項３】
前記録画装置が前記蓄積手段を兼ねるとともに、前記制御手段が、前記関連Ｗｅｂページのコンテンツ情報を前記放送プログラムのデータと多重化して前記録画装置へ出力するように前記出力手段を制御することを特徴とする請求項１又は請求項２に記載のコンテンツ格納制御装置。
【請求項４】
前記録画装置から、録画済みの放送プログラムのデータを取得する録画番組データ取得手段と、
前記取得したデータを用いて前記放送プログラムを再生し、表示装置へ出力する再生手段と、
前記蓄積手段から、前記放送プログラムに対応付けられた関連Ｗｅｂページのコンテンツ情報を読み出し、前記関連Ｗｅｂページを前記表示装置へ出力するＷｅｂページ出力手段とをさらに有することを特徴とする請求項１乃至請求項３のいずれか１項に記載のコンテンツ格納制御装置。
【請求項５】
前記制御手段は、前記放送プログラムに対応付けられた関連Ｗｅｂページのコンテンツ情報が存在する場合、
前記蓄積手段に蓄積されたＷｅｂページを出力するか、
当該関連Ｗｅｂページのアドレス情報を用いて、前記コンテンツ取得手段で前記関連Ｗｅｂページのコンテンツ情報を取得し、当該取得した関連Ｗｅｂページを出力するか、
を選択可能とすることを特徴とする請求項４に記載のコンテンツ格納制御装置。
【請求項６】
前記制御手段は、前記放送プログラムに対応付けられた関連Ｗｅｂページのコンテンツ情報が複数存在する場合、前記再生手段が再生している前記放送プログラムの経過時間と、前記複数のコンテンツ情報が蓄積されたタイミングとから、前記複数のコンテンツ情報の中から１つを選択して前記Ｗｅｂページ出力手段に出力させることを特徴とする請求項４又は請求項５に記載のコンテンツ格納制御装置。
【請求項７】
前記制御手段は、前記複数のコンテンツ情報の中から、前記経過時間に最も近く、かつ前記経過時間よりも前の時間に対応するタイミングで蓄積されたコンテンツ情報を選択することを特徴とする請求項６に記載のコンテンツ格納制御装置。
【請求項８】
前記制御手段は、前記経過時間の進行に伴い、前記Ｗｅｂページ出力手段に出力させるコンテンツを順次自動的に切り替えることを特徴とする請求項７に記載のコンテンツ格納制御装置。
【請求項９】
指定されたＷｅｂページにアクセスし、当該Ｗｅｂページのコンテンツ情報を取得可能なコンテンツ取得工程と、
録画する放送プログラムに、関連付けされた関連Ｗｅｂページがあるか否かを確認する確認工程と、
前記放送プログラムの放映中、前記放送プログラムのデータを録画装置に出力する出力工程と、
前記関連Ｗｅｂページがある場合、前記コンテンツ取得工程で前記関連Ｗｅｂページのコンテンツ情報を取得し、前記放送プログラムと対応付けて蓄積部に蓄積する制御工程と、を有し、
前記制御工程では、前記放送プログラムのデータを録画装置に出力中に、前記関連Ｗｅｂページが更新されたか否かを判定し、Ｗｅｂページが更新されたと判定した場合に更新されたＷｅｂページのコンテンツ情報を前記放送プログラムと対応付けて前記蓄積部に蓄積することを特徴とするコンテンツ格納制御装置の制御方法。
【請求項１０】
前記制御工程では、Ｗｅｂページが更新されたと判定した場合に更新されたＷｅｂページのコンテンツ情報を前記放送プログラムと対応付けて前記蓄積部に蓄積するか、所定のタイミングでＷｅｂページのコンテンツ情報を前記放送プログラムと対応付けて前記蓄積部に蓄積するかを選択可能とする設定画面を提示することを特徴とする請求項９に記載のコンテンツ格納制御装置の制御方法。
【請求項１１】
前記録画装置が前記蓄積部を兼ねるとともに、前記制御工程が、前記関連Ｗｅｂページのコンテンツ情報を前記放送プログラムのデータと多重化して前記録画装置へ出力するように前記出力工程を制御することを特徴とする請求項９又は請求項１０に記載のコンテンツ格納制御装置の制御方法。
【請求項１２】
前記録画装置から、録画済みの放送プログラムのデータを取得する録画番組データ取得工程と、
前記取得したデータを用いて前記放送プログラムを再生し、表示装置へ出力する再生工程と、
前記蓄積部から、前記放送プログラムに対応付けられた関連Ｗｅｂページのコンテンツ情報を読み出し、前記関連Ｗｅｂページを前記表示装置へ出力するＷｅｂページ出力工程とをさらに有することを特徴とする請求項９乃至請求項１１のいずれか１項に記載のコンテンツ格納制御装置の制御方法。
【請求項１３】
前記制御工程では、前記放送プログラムに対応付けられた関連Ｗｅｂページのコンテンツ情報が存在する場合、
前記蓄積部に蓄積されたＷｅｂページを出力するか、
当該関連Ｗｅｂページのアドレス情報を用いて、前記コンテンツ取得工程で前記関連Ｗｅｂページのコンテンツ情報を取得し、当該取得した関連Ｗｅｂページを出力するかを選択可能とすることを特徴とする請求項１２に記載のコンテンツ格納制御装置の制御方法。
【請求項１４】
前記制御工程では、前記放送プログラムに対応付けられた関連Ｗｅｂページのコンテンツ情報が複数存在する場合、前記再生工程で再生している前記放送プログラムの経過時間と、前記複数のコンテンツ情報が蓄積されたタイミングとから、前記複数のコンテンツ情報の中から１つを選択して前記Ｗｅｂページ出力工程で出力することを特徴とする請求項１２又は請求項１３に記載のコンテンツ格納制御装置の制御方法。
【請求項１５】
前記制御工程では、前記複数のコンテンツ情報の中から、前記経過時間に最も近く、かつ前記経過時間よりも前の時間に対応するタイミングで蓄積されたコンテンツ情報を選択することを特徴とする請求項１４に記載のコンテンツ格納制御装置の制御方法。
【請求項１６】
前記制御工程では、前記経過時間の進行に伴い、前記Ｗｅｂページ出力手段に出力させるコンテンツを順次自動的に切り替えることを特徴とする請求項１５に記載のコンテンツ格納制御装置の制御方法。
【発明の詳細な説明】
【技術分野】
【０００１】
本発明は、放送プログラム（以下、番組という）の録画処理や再生処理を制御するコンテンツ格納制御装置及びその制御方法に関する。
【背景技術】
【０００２】
近年、放送波を受信して番組を視聴する機能に加えて、インターネットへ接続してＷｅｂページ等を閲覧する機能も提供するような放送受信装置やＰＣ等が、一般的になりつつある。また、放送と通信の融合について、放送事業者や通信事業者の双方で様々が議論・提案がなされており、近い将来、視聴者が放送／通信の区別を意識することなく、どちらのサービスも享受するであろうことは、想像に難くない。
【０００３】
このような放送受信環境においては、放送波を実時間に視聴している際には、例えば映像や音声とは別に付加情報として放送局から送信されるＵＲＬ情報を用いて、番組に関連するＷｅｂページを閲覧するといったサービスを享受することが可能である。
【０００４】
しかし、従来、番組を録画する際には付加情報は記録されないため、録画した番組を試聴する際には、放送時に提供されたＵＲＬ情報を利用することができなかった。
放送時に放送局から提供されたＵＲＬ情報ではないが、録画番組を再生する際にその番組に関連付けられたＷｅｂページ（関連Ｗｅｂページ）のＵＲＬ情報を取得可能とする技術が特許文献１に開示されている。特許文献１では、番組名とＵＲＬ情報とを対応付けて記憶した番組関連情報提供サーバーを設け、ユーザコンピュータが録画した番組を再生する際には、コンピュータがサーバーにアクセスし、再生する番組に対応するＵＲＬ情報を取得する。これにより、ユーザは、録画番組の再生時に、サーバーが提供する関連Ｗｅｂページを参照することができる。
【０００５】
また、特許文献２には、録画する予定の番組に対応するＵＲＬアドレスを用いて、番組に対応する参照データをＷｅｂからダウンロードすることが開示されている。また、ダウンロードした参照データと録画された番組を関連づけて保持し、番組を再生した場合に、参照データも表示することが開示されている。
【０００６】
さらに、特許文献３には、テレビ番組と、テレビ番組に対応するウェブコンテンツをＰＶＲに格納すること、及び格納したテレビ番組の再生時には格納したウェブコンテンツを同期して表示することが開示されている。また、特許文献３には、格納するテレビ番組とウェブコンテンツにタイムスタンプが押されることと、番組再生時にはテレビ番組のタイムスタンプを用いて、同じタイムを有するウェブコンテンツをメモリから読み出すことが開示されている。つまり、特許文献３には、テレビ番組の録画時にウェブコンテンツを複数回取得することが教示されている。
【０００７】
【特許文献１】特開２００２−２１５９２４号公報
【特許文献２】特開２００２−９４８８７号公報
【特許文献３】特表２００４−５２９５８８号公報
【発明の開示】
【発明が解決しようとする課題】
【０００８】
しかしながら、特許文献１記載の方法では、番組関連情報提供サーバーを別途用意する必要がある。そして、録画番組の再生時にサーバーへアクセスする必要がある上、サーバーに登録されていない番組については情報が得られない。また、依然として録画データには関連Ｗｅｂページに関する情報が含まれない。そのため、例えば放送時に放送局から提供された関連Ｗｅｂページや、ユーザが番組に関連付けたＷｅｂページの情報を得ることができない。
【０００９】
また、特許文献２の技術は、参照データを番組録画時、即ち、番組が放送されるよりも前にダウンロードしておくことを目的としている。つまり、参照データを１回取得して蓄積するものである。しかし、実際には、番組に関連するＷｅｂページのコンテンツが番組の放映中に更新されるようなケースが多々存在する。例えば、番組の進展に連動してＷｅｂページのコンテンツが更新されるようなケースである。このようなケースにおいて、特許文献２のように番組が放送されるよりも前に参照データを１回取得するだけでは、録画した番組を再生する場合、再生に連動して表示させた蓄積済みの関連Ｗｅｂページの内容が、番組の再生内容と整合しない可能性がある。
【００１０】
さらに、特許文献３には、ウェブコンテンツ自体の更新と、ウェブコンテンツの取得との関連についての開示が無い。つまり、特許文献３に開示される手法では、ウェブコンテンツ自体には更新が無くても、常にダウンロードされてＰＶＲに格納されることになる。即ち、全く同じコンテンツが多数格納されることとなり、ＰＶＲの記録容量を圧迫してしまう可能性がある。
【００１１】
本発明は、上記課題を解決するためになされたものである。本発明は、番組に関連付けされたＷｅｂページのコンテンツ情報を、Ｗｅｂページの更新が発生した場合でも、録画時に番組と関連付けて適切に記録可能なコンテンツ格納制御装置及びその制御方法を提供することを目的とする。
【課題を解決するための手段】
【００１２】
上述の目的は、指定されたＷｅｂページにアクセスし、当Ｗｅｂページのコンテンツ情報を取得可能なコンテンツ取得手段と、録画する放送プログラムに、関連付けされた関連Ｗｅｂページがあるか否かを確認する確認手段と、放送プログラムの放映中、放送プログラムのデータを録画装置に出力する出力手段と、関連Ｗｅｂページがある場合、コンテンツ取得手段を用いて関連Ｗｅｂページのコンテンツ情報を取得し、放送プログラムと対応付けて蓄積手段に蓄積する制御手段とを有し、制御手段は、放送プログラムのデータを録画装置に出力中に、関連Ｗｅｂページが更新されたか否かを判定し、Ｗｅｂページが更新されたと判定した場合に更新されたＷｅｂページのコンテンツ情報を放送プログラムと対応付けて蓄積手段に蓄積することを特徴とするコンテンツ格納制御装置によって達成される。
【００１３】
また、上述の目的は、指定されたＷｅｂページにアクセスし、当Ｗｅｂページのコンテンツ情報を取得可能なコンテンツ取得工程と、録画する放送プログラムに、関連付けされた関連Ｗｅｂページがあるか否かを確認する確認工程と、放送プログラムの放映中、放送プログラムのデータを録画装置に出力する出力工程と、関連Ｗｅｂページがある場合、コンテンツ取得工程で関連Ｗｅｂページのコンテンツ情報を取得し、放送プログラムと対応付けて蓄積部に蓄積する制御工程と、を有し、制御工程では、放送プログラムのデータを録画装置に出力中に、関連Ｗｅｂページが更新されたか否かを判定し、Ｗｅｂページが更新されたと判定した場合に更新されたＷｅｂページのコンテンツ情報を放送プログラムと対応付けて蓄積部に蓄積することを特徴とするコンテンツ格納制御装置の制御方法によっても達成される。
【発明の効果】
【００１４】
このような構成により、本発明によれば、番組に関連付けされたＷｅｂページのコンテンツ情報を、Ｗｅｂページの更新が発生した場合でも、録画時に番組と関連付けて適切に記録可能なコンテンツ格納制御装置及びその制御方法を提供することが可能となる。
【発明を実施するための最良の形態】
【００１５】
以下、図面を参照して、本発明をその好適な実施形態に基づき詳細に説明する。
＜第１の実施形態＞
図１は、本発明の第１の実施形態に係るコンテンツ格納制御装置の一例としての放送受信機１０００の構成例と、関連する外部装置とを示す図である。
【００１６】
放送受信機１０００は、ＴＶ受信部１００１、リモコン受信部１００２、Ｗｅｂブラウザ１００３、記録再生制御部１００４、対応情報保持部１００５、Ｗｅｂページ蓄積部１００６を備える。さらに、放送受信機１０００は、画像合成部１００７、外部Ｉ／Ｆ部１００８、通信部１００９、デコード部１０１０を備える。
【００１７】
また、放送受信機１０００は、通信部１００９を介してインターネットに接続可能であり、インターネット上にある任意のＷｅｂサーバー２０００と通信可能である。同時に放送受信機１０００は、例えばＩＥＥＥ１３９４インタフェースやＬＡＮインタフェースである外部Ｉ／Ｆ部１００８を介して、番組録画装置３０００と接続される。番組録画装置３０００は例えばＨＤＤレコーダやＤＶＤレコーダであり、放送受信機１０００から受信した番組等のコンテンツを録画したり、録画したコンテンツを放送受信機１０００へ供給することが可能である。
【００１８】
ＴＶ受信部１００１は、デジタル放送の放送波を受信し、その中からユーザの指定したチャンネルに対応する搬送波を選択し、復調処理を行なう。さらに、ＴＶ受信部１００１は、復調結果を用いて、映像、音声、付加情報などを多重化したデータ（ＭＰＥＧトランスポートストリームデータ。以下、ＴＳデータと呼ぶ）を生成し、デコード部１０１０へ出力する。
【００１９】
デコード部１０１０は、ＴＶ受信部１００１から与えられたＴＳデータを、映像データ、音声データ、及びＰＳＩ／ＳＩデータ（Program Specific Information／Service Informationデータ）などに分離し、それぞれのデコードを行う。デコード部１０１０は、デコードした映像データは画像合成部１００７へ、音声データは音声合成部（不図示）へ出力する。また、ＰＳＩ／ＳＩデータは、不揮発性もしくは揮発性のＰＳＩ／ＳＩデータ蓄積部（不図示）へ出力し、一時的に保持する。
【００２０】
また、デコード部１０１０は、後述の記録再生制御部１００４の制御に基づき、ＴＶ受信部１００１から受信した、録画番組のＴＳデータを、その放映中に外部Ｉ／Ｆ部１００８を介して番組録画装置３０００へ出力する。
【００２１】
放映中の番組のＴＳデータを番組録画装置３０００へ出力し、番組録画装置でＴＳデータを記録することにより、当該番組の録画が実現される。ＴＳデータを番組録画装置３０００へ出力する際、デコード部１０１０は、ＴＳデータをパーシャルトランスポートストリーム（以下、パーシャルＴＳデータ）に変換する。
【００２２】
図２は、デコード部１０１０が、録画番組のＴＳデータをパーシャルＴＳデータへ変換する処理を模式的に示す図である。
図２では、主にＴＳデータ中のＰＳＩ／ＳＩデータに関する変換処理を示している。ＴＳデータは固定長のＴＳパケットの集合であり（図２（ａ））、各パケットには映像データ、音声データ、他のデータが格納されている（図２（ｂ））。なお、他のデータには、ＰＳＩ／ＳＩデータや、データ放送画面の表示に使用されるデータなどが含まれる。
【００２３】
デコード部１０１０は、ＴＳデータに含まれる、他のデータパケットから、ＰＳＩ／ＳＩデータを取り出す（図２（ｃ））。図では、ＰＳＩ／ＳＩデータの一部であるＰＡＴ（Program Association Table）、ＰＭＴ（Program Map Table）、ＥＩＴ（Event Information Table）、ＳＤＴ（Service Description Table）、ＮＩＴ（Network Information Table）、ＴＯＴ（Time Offset Table）を記載している。
【００２４】
次いで、デコード部１０１０は、取り出したＰＳＩ／ＳＩデータのうち、ＰＡＴおよびＰＭＴを残し、他のＰＳＩ／ＳＩデータ（図中のＥＩＴ、ＳＤＴ、ＮＩＴ、およびＴＯＴ）を用いてＳＩＴ（Selection Information Table）を生成する（図２（ｄ））。ＳＩＴの生成には、ＥＩＴ、ＳＤＴ、ＮＩＴ、およびＴＯＴに含まれる、録画番組に関する情報を用いる。具体的には、例えば録画番組の番組名、あらすじ、ジャンル／サブジャンル、映像・音声フォーマット情報、サービス情報、ネットワーク情報などである。また、デコード部１０１０は、ＳＩＴに、パーシャルＴＳデータのための新規情報も付加する。新規情報とは、例えばパーシャルＴＳデータの最大パケットレートや、パーシャルＴＳデータを出力している時間などの情報である。その後、デコード部１０１０は、ＰＡＴ、ＰＭＴ、及びＳＩＴをＴＳパケットに変換し、元のＴＳデータ内へ再配置する（図２（ｅ））。
【００２５】
画像合成部１００７は、デコード部１０１０によってデコードされた映像データと、Ｗｅｂブラウザ１００３や記録再生制御部１００４によって作成されたＧＵＩ等の画像データとを合成し、合成画像をモニタ４０００へ出力する。なお、モニタ４０００は放送受信機１０００の構成要素であってもよい。
【００２６】
リモコン受信部１００２は、リモコン５０００から出力されるリモコン情報を受信する。一般的には、リモコン受信部１００２は、赤外線入力ポート（図示せず）を介してリモコン情報を受信し、リモコン情報からリモコンキーに対応するリモコン・コードを割り出すとともに、リモコンの状態（ボタンの長押しなど）を識別する。ここで、リモコン情報とは、リモコン・コードとリモコンの状態とを対応づけた情報を示す。受信したリモコン情報は、リモコン情報あるいは放送受信機１０００の状態に応じて、ＴＶ受信部１００１、記録再生制御部１００４、もしくはＷｅｂブラウザ１００３へ転送される。例えば、リモコン情報に含まれるリモコン・コードが選局に関するリモコンキーに対応し、放送受信機１０００がデジタル放送の受信を行っている状態であれば、リモコン受信部１００２は、リモコン情報をＴＶ受信部１００１へ転送する。そして、ＴＶ受信部１００１は、転送されたリモコン情報に応じた受信・選局処理を行う。また、リモコン・コードが録画に関するリモコンキーに対応し、放送受信機１０００がデジタル放送の受信を行っている状態であれば、リモコン受信部１００２は、リモコン情報を記録再生制御部１００４へ転送する。
【００２７】
外部Ｉ／Ｆ部１００８は、番組録画装置３０００などの外部機器とのデータの送受信を行う。本実施形態において、外部Ｉ／Ｆ部１００８は、デコード部１０１０より出力されたデータを番組録画装置３０００へ出力したり、番組録画装置３０００内から入力されたデータをデコード部１０１０へ転送したりする。
【００２８】
通信部１００９は、インターネットとの接続と、インターネット上に存在する各種サーバーとの通信を行う。本実施形態において通信部１００９は、インターネット上のＷｅｂサーバー２０００が管理・保持しているＷｅｂページコンテンツ情報を取得するコンテンツ取得手段として機能する。通信部は、取得したＷｅｂページコンテンツ情報を、Ｗｅｂブラウザ１００３もしくはＷｅｂページ蓄積部１００６へ転送する。ここで、Ｗｅｂページコンテンツ情報とは、Ｗｅｂページをオフラインで閲覧するために必要な情報であり、Ｗｅｂページを記述するHTML（Hyper Text Markup Language）ドキュメントや、HTMLドキュメント内で参照される各種モノメディアデータ（JPEGデータ、GIFデータなど）に該当する。なお、モノメディアデータの種類や存在場所によっては、必ずしも取得できない場合もあるが、このような場合の対処は本発明に直接関連しないため、説明を省略する。
【００２９】
Ｗｅｂブラウザ１００３は、通信部１００９を介して取得したHTMLドキュメントの構文解析・レイアウト処理を行い、ＷｅｂページのＧＵＩデータ（表示用ビットマップデータ）を作成する。その際、HTMLドキュメント内で参照されるモノメディアデータのデコードも同時に行う。作成した表示用ビットマップデータは、画像合成部１００７を介してモニタ４０００で表示される。
【００３０】
Ｗｅｂページ蓄積部１００６は、通信部１００９を介してＷｅｂサーバー２０００から取得したＷｅｂページコンテンツ情報を蓄積する。また同時に、蓄積したＷｅｂページコンテンツ情報をＷｅｂページ蓄積部１００６から読み出すための蓄積位置情報を、対応情報保持部１００５に通知する。蓄積位置情報は、例えばＷｅｂページコンテンツ情報が格納されたファイルやフォルダのディレクトリパスのような情報であって良い。
【００３１】
対応情報保持部１００５は、番組録画装置３０００に録画した番組と、Ｗｅｂページ蓄積部１００６に蓄積したＷｅｂページコンテンツ情報との対応関係（以下、対応情報と呼ぶ）を示したリスト（以下、対応情報リストと呼ぶ）を保持する。
【００３２】
図３は、対応情報保持部１００５に記憶される対応情報リストの例を示す図である。対応情報は、番組録画装置３０００に録画した番組を特定可能な情報（録画番組情報）と、Ｗｅｂページ蓄積部１００６に蓄積したＷｅｂページコンテンツ情報を特定可能な情報（Ｗｅｂページ蓄積情報）から成る。本実施形態において、録画番組情報は、例えば、サービス名、番組スタート時刻及び番組名である。また、Ｗｅｂページ蓄積情報は、例えば、インターネット上のアドレス（取得元のＷｅｂサーバー上のＵＲＬ）、蓄積した時刻、蓄積位置情報である。
【００３３】
また、番組録画情報及びＷｅｂページ蓄積情報は、対応する番組やＷｅｂページコンテンツ情報が録画／蓄積されたか否かを示す情報を含む。図３においては、録画状態及び蓄積状態がこの情報に相当する。本実施形態において、録画状態及び蓄積状態は、『予約中』又は『済み』の値をとる。なお、対応情報保持部１００５とＷｅｂページ蓄積部１００６とは、例えば同一の記憶装置の異なる領域として実現されても良い。
【００３４】
なお、図３の例では、１つの録画番組情報に対して１つのＷｅｂページ蓄積情報が対応している場合を示しているが、１つの録画番組情報に対して複数のＷｅｂページ蓄積情報が対応づけられてもよい。
【００３５】
記録再生制御部１００４は、以下の処理を行う。
・録画予約画面データの作成、
・録画予約設定情報の管理、
・予約録画処理の制御、及び
・Ｗｅｂページの蓄積制御。
【００３６】
記録再生制御部１００４は、録画予約のためのリモコン情報をリモコン受信部１００２を介して受信すると、ＰＳＩ／ＳＩ情報等を用いて録画予約画面データを作成し、画像合成部１００７へ出力する。これにより、録画予約画面がモニタ４０００に表示される。録画予約画面の操作についてのリモコン情報は記録再生制御部１００４へ供給され、記録再生制御部１００４はリモコン情報に応じて録画予約画面データを変更する。また、録画予約が決定されると、録画予約画面上で設定された録画予約設定情報（録画する番組名、録画開始時間、継続時間など）を図示しない内部メモリに記憶する。そして、記録再生制御部１００４は、図示しないカレンダ時計等を定期的に参照し、録画開始時間もしくはその若干前になると、予約録画処理を実行するための制御情報を、ＴＶ受信部１００１、デコード部１０１０及び外部Ｉ／Ｆ部１００８に対して送信する。
【００３７】
また、記録再生制御部１００４は、録画予約時に関連Ｗｅｂページの蓄積を行うことが指定された場合、蓄積の実行に必要なＷｅｂページ蓄積設定情報（蓄積するＷｅｂページのＵＲＬ，蓄積開始時間）を内部メモリに記憶する。そして、該当する蓄積開始時間がくると、Ｗｅｂページの蓄積処理を実行するための制御情報を、通信部１００９及びＷｅｂページ蓄積部１００６に対して送信する。
【００３８】
図４は、本発明の第１の実施形態に係る放送受信機１０００における番組録画予約処理を説明するフローチャートである。リモコン受信部１００２は、リモコン５０００から録画予約のためのリモコン情報を受信すると、記録再生制御部１００４へ転送する。記録再生制御部１００４は、このリモコン情報を受信すると、録画予約画面としての電子番組表画面を生成し、表示する（Ｓ１００１）。従って、電子番組表の表示を指示するリモコン情報も、録画予約のためのリモコン情報に含まれる。ここで表示される電子番組表は、現在一般的に使用される電子番組表と同様であり、通常、新聞のテレビ番組欄のように、時間軸とサービス名（チャンネル番号）軸とを有する構成を有する。
【００３９】
ユーザは、表示された電子番組表をリモコン５０００によって操作し、録画を希望する番組を選択し、録画時間、画質モード等の録画予約設定を行う（Ｓ１００２）。
【００４０】
ここで、録画予約設定に関する情報（以下、録画予約設定情報と呼ぶ）には、
・番組を識別する情報
（例えば、放送ネットワークの識別(original_network_id)、ＴＳデータの識別情報(transport_stream_id)、サービス識別情報(service_id)、サービス名、番組識別情報(event_id)、番組名等のＥＩＴに含まれる番組を識別する情報）、
・録画開始時間、
・継続時間、
・画質モード、
・録画先機器の情報などが含まれる。
【００４１】
次いで、ユーザが録画予約の実行を要求すると、記録再生制御部１００４は、録画予約した番組に関連付けられたＷｅｂページが存在するか否かか確認を行う（Ｓ１００３）。
この確認は、例えば、ＥＩＴに含まれる番組情報など、録画する番組の付加情報として放送局から提供される情報に関連Ｗｅｂページのアドレスが含まれていないか調べることによって行うことができる。
また、別途任意の方法でユーザが番組に関連Ｗｅｂページを関連付けているかどうかを調べることもできる。
【００４２】
ユーザが番組とＷｅｂページとを関連付けて登録する方法には特に制限が無く、どのような方法であっても良い。例えば、放送受信機１０００が内蔵するＷｅｂブラウザ１００３によって、通信部１００９を通じてインターネット上の任意のＷｅｂページを参照している状態であるとする。この状態で、ユーザがリモコン５０００からＷｅｂページ登録用のボタンを押下すると、そのリモコン情報がリモコン受信部１００２を通じて記録再生制御部１００４へ与えられる。
【００４３】
記録再生制御部１００４は、表示中のＷｅｂページを番組に関連付けして登録するか問い合わせるＧＵＩデータを生成し、画像合成部１００７を通じてモニタ４０００に表示させる。これに対してユーザが登録する旨の応答をリモコン５０００を通じて返すと、記録再生制御部１００４は電子番組表を表示させ、Ｗｅｂページと関連付ける番組をユーザに選択させる。
【００４４】
電子番組表から番組が指定されると、記録再生制御部１００４は指定された番組の識別情報をＥＩＴから取得すると共に、Ｗｅｂブラウザ１００３からは表示中のＷｅｂページのアドレス情報（ＵＲＬ）を取得し、両者を対応付けて例えば内部メモリに記憶する。
このような手順により、ユーザはＷｅｂブラウザ１００３で表示中のＷｅｂページを所望の番組と対応付けて登録することができる。
【００４５】
そして、録画予約実行時に、記録再生制御部１００４は、内部メモリに記憶された登録情報中に、録画番組が含まれているかどうか確認することで、予約番組に関連付けられたＷｅｂページの有無を確認することができる。
【００４６】
Ｓ１００３で、予約番組に関連付けられたＷｅｂページ（関連Ｗｅｂページ）が存在しない場合、記録再生制御部１００４は録画予約設定情報を保存して予約処理を終了する。
【００４７】
一方、Ｓ１００３で、録画予約を行った番組の関連Ｗｅｂページが存在する場合、記録再生制御部１００４は、関連Ｗｅｂページの存在を報知すると共に、関連Ｗｅｂページのコンテンツ情報を蓄積するか問い合わせる確認画面のデータを生成する。そして、記録再生制御部１００４は、確認画面を画像合成部１００７を通じてモニタ４０００に表示させる（Ｓ１００４）。図５に、記録再生制御部１００４が表示させる確認画面の例を示す。
【００４８】
確認画面において、ユーザがリモコン５０００を通じて「いいえ」を選択した場合、記録再生制御部１００４は録画設定情報を保存して予約処理を終了する。一方、確認画面から「はい」が選択された場合、記録再生制御部１００４は、関連Ｗｅｂページのアドレス情報（ＷｅｂページのＵＲＬ）を取得する。そして、記録再生制御部１００４は、このアドレス情報を用い、通信部１００９を介して関連Ｗｅｂページを提供するＷｅｂサーバー２０００にアクセスする（Ｓ１００５）。
【００４９】
Ｓ１００５で、Ｗｅｂサーバー２０００にアクセスできない、あるいはアクセスできたが所望のＷｅｂページが存在しないといった、所謂リンク切れの場合、記録再生制御部１００４は、ユーザに対し、関連Ｗｅｂページが存在しない旨を通知する（Ｓ１００６）。
【００５０】
また、同時に、記録再生制御部１００４は、関連Ｗｅｂページの予約番組への関連付けを取消すか否かを問い合わせる。図６に、Ｓ１００６において記録再生制御部１００４が表示させる問い合わせ画面の例を示す。
【００５１】
問い合わせ画面において、ユーザがリモコン５０００を通じて「いいえ」を選択した場合（Ｓ１００７，ＮＯ）、記録再生制御部１００４は、録画予約設定情報を保存して予約処理を終了する。一方、「はい」が選択された場合（Ｓ１００７，ＹＥＳ）、記録再生制御部１００４は、関連Ｗｅｂページがユーザの設定によるものであれば、内部メモリ中に記憶されている登録情報（関連Ｗｅｂ情報）を削除し（Ｓ１００８）、録画予約設定情報を保存して、予約処理を終了する。
【００５２】
Ｓ１００５で、関連Ｗｅｂページにアクセスできた場合、記録再生制御部１００４は、Ｗｅｂページコンテンツ情報の蓄積タイミングの設定画面をユーザに提示する（Ｓ１００９）。図７に、記録再生制御部１００４が表示させるタイミング設定画面の例を示す。
【００５３】
図７の例では、ユーザは蓄積タイミングとして、「今すぐ」、「番組開始直前」、「番組終了直後」のいずれかを選択可能である。
タイミング設定画面でユーザが「今すぐ」を選択すると、記録再生制御部１００４は、録画予約情報を保存して予約処理を終了した後、直ちにＷｅｂページコンテンツ情報の取得／蓄積処理を行う。また、「番組開始直前」が選択されると、記録再生制御部１００４は、番組開始の所定時間前にＷｅｂページコンテンツ情報の取得／蓄積処理を行う。「番組終了直後」が選択されると、記録再生制御部１００４は、番組の予約録画処理を終了して、所定の時間が経過した後にＷｅｂページコンテンツ情報の取得／蓄積処理を行う。
【００５４】
なお、図７の例では、選択肢が「今すぐ」、「番組開始直前」、「番組終了直後」の３つだが、ユーザが詳細な日時・時間を指定できるようにしても良い。日時や時間を指定するためのＧＵＩや設定された日時を取得する方法は周知であるため説明を省略する。
【００５５】
記録再生制御部１００４は、タイミング設定画面を通じて与えられるユーザの指示に基づいてＷｅｂページコンテンツ情報の蓄積タイミングを決定し、Ｗｅｂページコンテンツ情報の蓄積予約情報と録画予約設定情報を保存し終了する。ここで蓄積予約情報は、蓄積する関連Ｗｅｂページのアドレス情報（例えばＵＲＬ）と蓄積時間から成る。また、このとき、対応情報リストに対し、新規の対応情報を追加する。番組の録画もＷｅｂページコンテンツの蓄積も未実施の場合、対応情報内の録画状態／蓄積状態は、それぞれ『予約中』となる。また、蓄積位置は記載されない。
【００５６】
（録画処理・Ｗｅｂページコンテンツ情報収集処理）
図８は、本発明の第１の実施形態に係る放送受信機における番組の予約録画実行処理及びＷｅｂページの蓄積処理を説明するフローチャートである。
なお、図８は、図４記載の録画予約処理において、関連Ｗｅｂページの蓄積タイミングが「番組開始直前」と決定された場合の処理手順を示している。記録再生制御部１００４は蓄積予約情報内の蓄積時間に基づき、蓄積時間（録画予約された番組の開始時刻の所定時間前）になったことを検出する。そして、記録再生制御部１００４は、通信部１００９に対して、蓄積予約情報内のアドレス情報に対応するＷｅｂページのコンテンツ情報の取得を依頼する。この依頼に応答して、通信部１００９は、関連Ｗｅｂページのコンテンツ情報を保持するＷｅｂサーバー２０００にアクセスし、関連Ｗｅｂページのコンテンツ情報の取得を行う（Ｓ２００１）。
【００５７】
具体的には、通信部１００９はアドレス情報により特定されるＷｅｂページのHTMLドキュメントを取得するとともに、HTMLドキュメント内で参照されているモノメディアファイル（画像ファイルなど）も取得する。さらに、HTMLドキュメントにリンクされた他のＷｅｂページのコンテンツも取得して良い。通信部１００９は、取得したＷｅｂページコンテンツ情報を、Ｗｅｂページ蓄積部１００６に蓄積する。なお、Ｗｅｂページのコンテンツ情報収集は、Ｗｅｂブラウザ１００３が有するページ保存機能を利用して実現することも可能である。
【００５８】
Ｗｅｂページ蓄積部１００６は、Ｗｅｂページコンテンツ情報が蓄積されると、対応情報保持部１００５に保持されている対応情報リストにアクセスし、蓄積されたＷｅｂページコンテンツ情報と対応する対応情報の情報を更新する。つまり、対応情報内の蓄積状態の値を『予約中』から『済み』へ変更すると同時に、蓄積位置の情報を追加する（Ｓ２００２）。
【００５９】
その後、記録再生制御部１００４は、録画予約設定情報内に記載される録画開始時間になると、同じく録画予約設定情報内に記載された番組の録画を、ＴＶ受信部１００１、デコード部１０１０、外部Ｉ／Ｆ部１００８にそれぞれ依頼する（Ｓ２００３）。ＴＶ受信部１００１は、番組を受信後、ＴＳデータ化して、デコード部１０１０に転送する。デコード部１０１０は、ＴＶ受信部１００１から受信したＴＳデータを用い、上述のようにパーシャルＴＳデータを生成する。外部Ｉ／Ｆ部１００８は、録画予約設定情報内に記載された録画先（番組録画装置３０００）に対してパーシャルＴＳデータを出力する。番組録画装置３０００は、パーシャルＴＳデータをＤＶＤ，ＨＤＤ等の記憶媒体に所定の方式で記録する。
【００６０】
外部Ｉ／Ｆ部１００８を介して出力したパーシャルＴＳデータは、対応情報として記載した録画番組情報（サービス名、番組スタート時間、及び番組名）を必ず含む。図９に、パーシャルＴＳデータ内に含まれるＳＩＴのデータ構造を示す。図９に示すように、サービス名Ｄ１０５は、ＳＩＴの記述子領域２ Ｄ１０１にあるサービス記述子Ｄ１０２内に記載される。番組名Ｄ１０６は、ＳＩＴの記述子領域２ Ｄ１０１にある短形式イベント記述子Ｄ１０３内に記載される。番組スタート時間Ｄ１０７は、ＳＩＴの記述子領域２ Ｄ１０１にあるパーシャルトランスポートストームタイム記述子Ｄ１０４内に記載される。
【００６１】
記録再生制御部１００４は、番組の録画が終了すると、録画番組と対応する対応情報の情報を更新する。つまり、対応情報内の録画状態の値を『予約中』から『済み』へ変更する（Ｓ２００４）。そして、録画処理を終了する。
【００６２】
（再生処理）
図１０は、本発明の第１の実施形態に係る放送受信機における再生処理を説明するフローチャートである。
記録再生制御部１００４は、リモコン受信部１００２を介して、ある録画番組の再生指示を受信すると、再生を開始させる（Ｓ３００１）。具体的には、録画番組データ取得手段としての記録再生制御部１００４は、番組録画装置３０００に対して、指示された録画番組の放送受信機１０００への出力を依頼する。番組録画装置３０００はこの依頼に対し、ＤＶＤ又はＨＤＤ等の記憶媒体から、録画番組のパーシャルＴＳデータ（録画済みの放送プログラムのデータ）を読み出し、放送受信機１０００へ出力する。出力されたパーシャルＴＳデータは、外部Ｉ／Ｆ部１００８を介し、デコード部１０１０へ転送されデコードされる。その後、画像合成部１００７を通して、再生画像としてモニタ４０００に表示される。
【００６３】
また、デコード部１０１０は、パーシャルＴＳデータ内のＳＩＴから、再生中の録画番組のサービス名、番組名、番組スタート時間（それぞれ図９のＤ１０５、Ｄ１０６、Ｄ１０７に相当）を取得し、記録再生制御部１００４に通知する。
【００６４】
録画番組の再生中、記録再生制御部１００４は関連Ｗｅｂページの閲覧を要求するリモコン情報を受信すると、再生中の録画番組の関連Ｗｅｂページが登録有無を調べる（Ｓ３００２）。具体的には、記録再生制御部１００４は、デコード部１０１０から通知された録画番組の情報を用い、内部メモリに記憶された情報と対応情報保持部１００５に記憶された対応情報リストとを探索して、関連Ｗｅｂページの有無を確認する。
【００６５】
そして、再生中の録画番組の関連Ｗｅｂページが存在しない場合、記録再生制御部１００４はそのまま再生処理を継続し、Ｗｅｂページの表示処理は行なわない。なお、この場合、関連Ｗｅｂページが登録されていないことをユーザに報知するメッセージ表示を行うようにしてもよい。
【００６６】
一方、関連Ｗｅｂページが存在する場合、記録再生制御部１００４は、対応情報保持部１００５に保持されている対応情報リストにアクセスし、再生中の録画番組の関連Ｗｅｂページのコンテンツ情報が蓄積されているか確認する（Ｓ３００３）。
【００６７】
録画予約時の問い合わせ（図４、Ｓ１００４）に対し、ユーザが関連Ｗｅｂページの蓄積を行わないと応答した場合には、内部メモリに関連Ｗｅｂページが記憶されていても、対応情報保持部１００５には対応情報が記録されていない。
【００６８】
記録再生制御部１００４は、デコード部１０１０から通知された番組のサービス名、番組名及び番組スタート時間に対応する録画番組情報が対応情報リストに含まれていなければ、Ｗｅｂページ蓄積情報の蓄積は行われていないものと判断する。
【００６９】
そして、Ｗｅｂページ出力手段としての記録再生制御部１００４は、内部メモリに記憶されたアドレス情報を用いて関連ＷｅｂページをＷｅｂサーバー２０００から取得し、関連Ｗｅｂページの表示を行う（Ｓ３００４）。具体的には、記録再生制御部１００４は、Ｗｅｂブラウザ１００３に対して、関連Ｗｅｂページのアドレス情報とともに、表示を依頼する。Ｗｅｂブラウザ１００３は、通信部１００９を通して、関連Ｗｅｂページコンテンツ情報を保持するＷｅｂサーバー２０００にアクセスし、Ｗｅｂページコンテンツ情報の取得をする。Ｗｅｂブラウザは、取得したＷｅｂページコンテンツ情報から閲覧用のＧＵＩデータを作成し、画像合成部１００７を介してモニタ４０００に表示する。
【００７０】
Ｓ３００３にて、対応情報リスト中に、再生中の録画番組のサービス名、番組名及び番組スタート時間と一致する録画番組情報があり、かつＷｅｂページ蓄積情報の蓄積状態が『済み』であったとする。この場合、記録再生制御部１００４は、再生中の録画番組に関するＷｅｂページコンテンツ情報が蓄積されていると判断する。そして、記録再生制御部１００４は、図１１に示すようなＧＵＩをモニタ４０００に表示させ、ユーザに対し、蓄積されたＷｅｂページを表示するか、最新のＷｅｂページを表示するか選択させる（Ｓ３００５）。このように、本実施形態では、ユーザは、蓄積済みの関連Ｗｅｂページの存在を知った上で、いつの時点におけるＷｅｂページを表示させるか選択可能である。
【００７１】
ユーザが、最新の関連Ｗｅｂページ表示を希望した場合、記録再生制御部１００４は、Ｓ３００４で上述した処理を行う。ユーザが、蓄積済みのＷｅｂページの表示を希望した場合、記録再生制御部１００４は、Ｗｅｂブラウザ１００３に対して、Ｗｅｂページ蓄積情報の蓄積位置を与え、蓄積済みのＷｅｂページの表示を依頼する（Ｓ３００６）。依頼を受けたＷｅｂブラウザ１００３は、Ｗｅｂページ蓄積部１００６内に蓄積されているＷｅｂページコンテンツ情報を取得する。そして、その後、取得したＷｅｂページコンテンツ情報から閲覧用のＧＵＩデータを作成し、画像合成部１００７を介してモニタ４０００に表示する。なお、Ｗｅｂページの表示形態は任意であるが、例えば、録画番組の表示画面と、関連Ｗｅｂページ閲覧画面とを分けた二画面表示を行うことができる。または、関連Ｗｅｂページ閲覧画面のみを全画面表示してもよい。
【００７２】
以上説明したように、本実施形態では、録画予約された番組に関連Ｗｅｂページが存在する場合、関連Ｗｅｂページのコンテンツ情報を蓄積することが可能である。また、録画番組を再生する際に関連Ｗｅｂページを表示することもできる。
【００７３】
例えば番組の放送時間又はその前後近傍に関連Ｗｅｂページを蓄積するようにした場合、ユーザは、録画再生時でも、実質的に放送時と変わらない状態の関連Ｗｅｂページを見ることができる。例えば放送日時から相当な時間経過してから再生した場合、関連Ｗｅｂページへのアクセスができなくなっていたり、内容が変わっている場合も考えられるが、関連Ｗｅｂページのコンテンツ情報を蓄積しておくことで、確実に、かつ放送当時の内容で関連Ｗｅｂページを確認することが可能である。
【００７４】
さらに、録画番組に関連Ｗｅｂページの存在が確認された場合には、再生時点における関連Ｗｅｂページへのアクセスを行うことも可能としたので、ユーザは、関連Ｗｅｂページの最新の状態を確認することも可能である。
【００７５】
（変形例）
なお、放送時に放送局から関連Ｗｅｂページが与えられることもある。そのため、予約録画を行っている際、ＰＳＩ／ＳＩ情報として関連Ｗｅｂページのアドレスが与えられた場合には、そのアドレスにアクセスして関連Ｗｅｂページのコンテンツ情報を蓄積しておくように構成することも可能である。
【００７６】
具体的には、対応情報が登録されている番組の録画処理中、記録再生制御部１００４は、放送局から関連Ｗｅｂページの情報が与えられたかどうか定期的に確認する。そして、関連Ｗｅｂページの情報が与えられた場合には、その関連Ｗｅｂページのコンテンツ情報を自動的に蓄積し、Ｗｅｂページ蓄積部１００６へ蓄積する。さらに、記録再生制御部１００４は、対応情報のＷｅｂページ蓄積情報を付加する。
なお、再生時に複数の関連Ｗｅｂページがある場合には、どのページを表示するかをユーザに選択させればよい。
【００７７】
＜第２の実施形態＞
次に、本発明の第２の実施形態に係る放送受信機について説明する。機能構成は図１に示した放送受信機１０００と同様でよいため説明を省略し、本実施形態に特有の処理のみ説明する。
【００７８】
第１の実施形態により、録画番組の関連Ｗｅｂページの記録と、再生時の関連Ｗｅｂページの提示を実現することが可能となった。しかし、第１の実施形態においては、ある関連Ｗｅｂページに対し、コンテンツ情報を１回取得して蓄積するものであった。そのため、関連Ｗｅｂページが番組の放映中に更新されるような内容であった場合、録画した番組の再生時に表示させた蓄積済みの関連Ｗｅｂページの内容が、番組の再生内容と整合しない可能性がある。
【００７９】
具体的には、スポーツの生中継番組の関連Ｗｅｂページなど、内容を逐次更新しながら試合や競技の進行状況を伝える関連Ｗｅｂページがあったとする。この場合、例えば第１の実施形態において、番組終了直後に蓄積した関連Ｗｅｂページを録画番組の再生開始時に表示させた場合、これから始まる試合や競技の経過や結果が表示されてしまうことになる。また、番組の進行に伴って内容が追加されるような関連Ｗｅｂページなども同様の問題が生じうる。本実施形態では、このような、蓄積した関連Ｗｅｂページの内容と再生内容との不整合を抑制するものである。
【００８０】
図１２は、第２の実施形態に係る放送受信機１０００における番組の録画予約処理を説明するフローチャートである。図４と同一の処理を行なうステップには同一の参照数字を付し、重複する説明は省略する。第１の実施形態と異なる点は、Ｓ７００９及びＳ７０１１が追加されている点である。以下では、これら２つのステップについて説明する。
【００８１】
Ｓ１００５で、関連Ｗｅｂページのコンテンツ情報が取得可能な場合、記録再生制御部１００４は、Ｗｅｂページコンテンツ情報の自動蓄積処理を行うかユーザに確認する（Ｓ７００９）。
【００８２】
図１３は、Ｓ７００９で記録再生制御部１００４がユーザに提示するＧＵＩ画面例を示す図である。
図１３の例では、ユーザは自動蓄積処理を「行う」、「行わない」のいずれかを選択可能である。ユーザが「行わない」を選択すると、Ｓ１００９に移り、記録再生制御部１００４はユーザに対してＷｅｂページコンテンツ情報の蓄積タイミングの設定画面表示を行う。
一方、Ｓ７００９にて、ユーザが「行う」を選択すると、記録再生制御部１００４は、自動蓄積設定画面を提示する（Ｓ７０１１）。
【００８３】
図１４−図１６に、Ｓ７０１１で記録再生制御部１００４が提示する自動蓄積設定画面の例を示す。この例では、記録再生制御部１００４はまず、自動蓄積の開始時期の設定画面（図１４）を提示し、開始時期をユーザに選択させる。図１４の例では、開始時期の設定値として、直ちに蓄積を開始するか、番組の開始前（例えば数十秒〜数分前）か、の設定が可能である。
【００８４】
次に、記録再生制御部１００４は自動蓄積の終了時期の設定画面（図１５）を提示し、終了時期をユーザに設定させる。図１５の例では、終了時期の設定値として、番組終了直後までか、終了から所定時間後（３０分又は６０分）か、の設定が可能である。従って、開始時期と終了時期の間の期間が自動蓄積処理を実行する期間となる。さらに、記録再生制御部１００４は、自動蓄積処理の期間中、どのような条件もしくは方法で蓄積処理を行うかを選択可能とする設定画面（図１６）を提示し、方法をユーザに設定させる。図１６の例では、関連Ｗｅｂページの更新があった場合に蓄積するか、あるいは一定時間毎（１０分又は３０分）に蓄積するか、の設定が可能である。
【００８５】
Ｓ７０１１にて、Ｗｅｂページコンテンツ情報の自動蓄積設定を終えると、記録再生制御部１００４は、Ｗｅｂページコンテンツ情報の蓄積予約情報と録画予約設定情報を保存し、録画予約処理を終了する。
【００８６】
本実施形態において、蓄積予約情報は、蓄積するＷｅｂページのアドレス情報に加え、自動蓄積に関する情報（蓄積開始時間、蓄積終了時間、及び自動蓄積方法）から成る。また、この時点で、記録再生制御部１００４は、対応情報保持部１００５の対応情報リストに対し、新規の対応情報を追加する。
【００８７】
図１７に第２の実施形態における対応情報リストの例を示す。
本実施形態においても、録画番組情報は、図３に示した第１の実施形態における対応情報に含まれる録画番組情報と同一形式である。一方、Ｗｅｂページ蓄積情報については、第１の実施形態におけるＷｅｂページ蓄積情報に、自動蓄積方法及び自動更新回数を加えた形式を有する。自動更新回数の初期値はゼロであり、Ｗｅｂページコンテンツ情報の更新を行うたびに１づつカウントされる。また、Ｗｅｂページコンテンツ情報を蓄積し、その後新たに蓄積を行う度に、蓄積日時や蓄積位置が追加される（図１７で、コンテンツ１、コンテンツ２、・・・と記載されている部分が蓄積毎に追加される）。従って、対応情報毎にＷｅｂページ蓄積情報の長さは可変であり、長さは自動更新回数より把握することができる。なお、第１の実施形態においても、同一番組に対して複数の関連Ｗｅｂページの関連付けを許す場合には、やはり対応情報毎にその長さが変わりうる。
【００８８】
（録画処理・Ｗｅｂページコンテンツ情報収集処理）
図１８は、第２の実施形態に係る放送受信機１０００における、番組の予約録画実行処理及びＷｅｂページの蓄積処理を説明するフローチャートである。
ここでは、上述の録画予約処理において、自動蓄積方法が「Ｗｅｂページ更新時」、蓄積開始時期が「番組開始前」、蓄積終了時期が「番組終了直後」と設定されたものとした場合の処理手順を示している。
【００８９】
記録再生制御部１００４は、蓄積予約情報と図示しないカレンダ時計等に基づいて、蓄積開始時間（ここでは、番組が開始される直前）になったことを検出する。すると、記録再生制御部１００４は、蓄積予約情報内のアドレス情報（ＵＲＬ）に基づき、通信部１００９に対して、ＵＲＬに対応する関連Ｗｅｂページのコンテンツ情報の取得を依頼する。通信部１００９は、Ｗｅｂページコンテンツ情報を保持するＷｅｂサーバー２０００にアクセスし、Ｗｅｂページコンテンツ情報の取得を行う。その後、通信部１００９は取得したＷｅｂページコンテンツ情報をＷｅｂページ蓄積部１００６に蓄積する（Ｓ５００１）。
【００９０】
Ｗｅｂページ蓄積部１００６は、Ｗｅｂページコンテンツ情報が蓄積されると、対応情報保持部１００５に保持されている対応情報リストにアクセスし、蓄積されたＷｅｂページコンテンツ情報と対応する対応情報の情報を更新する（Ｓ５００２）。具体的には、Ｗｅｂページ蓄積情報の「更新回数」を１増やすとともに、「コンテンツ１」欄を追加する。コンテンツ１欄には、蓄積を実施した時間及び、Ｗｅｂページ蓄積部１００６内の蓄積位置を記述する。
【００９１】
一方、記録再生制御部１００４は、録画予約設定情報内に記載される録画開始時間になると、同じく録画予約設定情報内に記載された番組の録画を、ＴＶ受信部１００１、デコード部１０１０、外部Ｉ／Ｆ部１００８にそれぞれ依頼する（Ｓ５００８）。ＴＶ受信部１００１は、番組を受信後、ＴＳデータ化して、デコード部１０１０に転送する。デコード部１０１０は、ＴＶ受信部１００１から受信したＴＳデータを用い、上述のようにパーシャルＴＳデータを生成する。外部Ｉ／Ｆ部１００８は、録画予約設定情報内に記載された録画先（番組録画装置３０００）に対してパーシャルＴＳデータを出力する。番組録画装置３０００は、パーシャルＴＳデータをＤＶＤ，ＨＤＤ等の記憶媒体に所定の方式で記録する。
【００９２】
記録再生制御部１００４は、Ｓ５００８の番組録画処理と並行して、Ｗｅｂページコンテンツ情報の蓄積処理を継続する。まず、記録再生制御部１００４は、蓄積処理の終了／継続を判定する（Ｓ５００３）。
【００９３】
具体的には、記録再生制御部１００４は、対応情報保持部１００５に保持されている対応情報リストにアクセスし、「自動蓄積」方法を確認する。ここで、方法が「行わない」となっている場合は、対応情報内の蓄積状態の値を『予約中』から『済み』へ変更した後、Ｗｅｂページコンテンツ情報の蓄積処理を終了する。また同時に、記録再生制御部１００４は、Ｓ５００８の録画処理の終了を確認する。ここで、録画処理が終了している場合も、記録再生制御部１００４は、対応情報内の蓄積状態の値を『予約中』から『済み』へ変更した後、Ｗｅｂページコンテンツ情報の蓄積処理を終了する。
【００９４】
「自動蓄積」方法が「Ｗｅｂページ更新時」となっている場合、記録再生制御部１００４は所定時間待機する（Ｓ５００４）。ここで所定時間とは、その間にＷｅｂページが複数回更新されることがない程度の時間であり、例えば数秒程度である。
【００９５】
所定時間待機した後、記録再生制御部１００４は、通信部１００９を介して、Ｗｅｂサーバー２０００上のＷｅｂページコンテンツ情報をＷｅｂページ蓄積部１００６に蓄積する（Ｓ５００５）。
【００９６】
その後、記録再生制御部１００４は前回蓄積したＷｅｂページコンテンツ情報と、今回蓄積したＷｅｂページコンテンツ情報の差分比較を行い、Ｗｅｂページコンテンツ情報が更新されているか確認する（Ｓ５００６）。即ち、記録再生制御部１００４は、放送プログラムのデータを録画装置３０００に出力中に、関連Ｗｅｂページが更新されたか否かを判定する。更新有無の確認は例えば、コンテンツ情報のうち、ＨＴＭＬドキュメント内のテキストを比較し、記載内容に変更がないか確認したり、取得したＷｅｂページコンテンツ情報のデータ量に変化がないか確認したりすることで実現できる。
【００９７】
Ｓ５００６にて、更新がないと判定された場合、記録再生制御部１００４は、Ｓ５００４でＷｅｂページ蓄積部１００６に蓄積されたＷｅｂページコンテンツ情報を削除（Ｓ５００７）し、再度Ｓ５００３へ移行する。
【００９８】
または、記録再生制御部１００４におけるＷｅｂページコンテンツ情報の更新確認方法として、以下の方法も考えられる。記録再生制御部１００４は通信部１００９を介して、ＨＴＴＰ（Hyper Text Transfer Protocol）を用いてＷｅｂサーバー２０００にアクセスすることになる。そこで、記録再生制御部１００４はＨＴＴＰにおける要求メッセージとして、Ｗｅｂコンテンツの更新日時情報などを取得する。
【００９９】
具体的には、ＨＴＴＰメッセージにおける本体ヘッダに含まれる「Last-Modified」を用いることで、Ｗｅｂページの最終更新日時情報を取得できる。記録再生制御部１００４は、取得した最終更新日時情報と、既に取得したＷｅｂページコンテンツの最終更新日時情報を比較する。比較した結果、日時情報が合致すれば、Ｗｅｂページは更新されていないと判断し、Ｗｅｂページコンテンツ情報の取得を行わない。また、比較した結果、日時情報が合致していないならば、Ｗｅｂページコンテンツは更新されたと判断し、通信部１００９を介して、Ｗｅｂページコンテンツ情報を取得する制御を実行する。つまり、Ｗｅｂページのコンテンツ（実体ファイル）を取得せずに、ステップＳ５００６における更新の有無判定を実行することが可能である。
【０１００】
Ｓ５００６にて、更新されたと判定された場合、記録再生制御部１００４は、Ｓ５００２に戻り、対応表を更新する。ここでは、具体的には、「更新回数」を１増加するとともに、「コンテンツ２」欄を追加する。コンテンツ２欄には、Ｓ５００４にて蓄積したＷｅｂページコンテンツ情報に関する蓄積時間、及び蓄積位置を記載する。
【０１０１】
記録再生制御部１００４は、Ｓ５００８にて番組の録画が終了すると、録画番組と対応する対応情報の情報を更新する。つまり、対応情報内の録画状態の値を『予約中』から『済み』へ変更する（Ｓ５００９）。
【０１０２】
一方、記録再生制御部１００４は、Ｓ５００２〜Ｓ５００７の自動蓄積処理を、設定された蓄積終了時間になるまで継続して実施する。自動蓄積処理は、蓄積終了時間によって、録画処理より先に終わることもあれば、後に終わることもある。
【０１０３】
（再生処理）
図１９は、本発明の第２の実施形態に係る放送受信機における再生処理を説明するフローチャートである。
図１０に示した第１の実施形態での再生処理と同じ処理を行なうステップについては同じ参照符号を付与して説明を省略する。図１９と図１０との対比から明らかなように、本実施形態における再生処理は、第１の実施形態の再生処理において蓄積Ｗｅｂページを表示するＳ３００６に続いて、Ｓ６００７〜Ｓ６０１１の処理が追加された点である。
【０１０４】
従って、以下では、Ｓ６００７からの処理について説明する。
Ｓ６００６にて、Ｗｅｂブラウザ１００３は、記録再生制御部１００４から蓄積済み関連Ｗｅｂページの表示依頼を受けると、Ｗｅｂページ蓄積部１００６内に蓄積されている関連Ｗｅｂページコンテンツ情報から閲覧用のＧＵＩデータを作成する。そして、蓄積された関連Ｗｅｂページを、画像合成部１００７を通じてモニタ４０００に表示させる。
【０１０５】
本実施形態では取得時期の異なる同一Ｗｅｂページのコンテンツ情報が複数蓄積されている。そのため、Ｗｅｂブラウザ１００３は、表示依頼を受けた時点における録画番組の再生位置（経過時間）に基づいて、その再生位置に適したＷｅｂページを複数の蓄積されたＷｅｂページから選択し、表示させる。複数のＷｅｂページコンテンツ情報が蓄積されている場合は、経過時間に関連して、複数のＷｅｂページの表示を切り替える。放送プログラムに対応付けられた関連Ｗｅｂページのコンテンツ情報が複数存在する場合の関連Ｗｅｂページの選択方法については後述する。
【０１０６】
Ｗｅｂブラウザ１００３によってＷｅｂページの表示がなされると、記録再生制御部１００４は、録画番組の再生位置を監視する（Ｓ６００７）。この段階で番組の再生が終了した場合、記録再生制御部１００４は、不図示のタイマーを起動する（Ｓ６００８）。
【０１０７】
次に記録再生制御部１００４は、番組の再生位置、あるいは番組の再生が終了している場合はタイマーの数値から、新たに表示すべきＷｅｂページコンテンツ情報の有無を判定する（Ｓ６００９）。ここで、表示すべきＷｅｂページコンテンツ情報が存在しない場合は、ユーザからのＷｅｂ閲覧終了の指示待ちとなり、指示が来た時点で、本再生処理は終了する。
ここで、表示すべきＷｅｂページコンテンツ情報が存在する場合、記録再生制御部１００４はこのＷｅｂページコンテンツ情報を表示するか否かを判定する（Ｓ６０１０）。判定方法については後述する。
【０１０８】
Ｓ６０１０で、表示しないと判定した場合、記録再生制御部１００４は処理をＳ６００７に戻し、再度番組の再生位置を監視する。Ｓ６０１０で、蓄積したＷｅｂページコンテンツを表示すると判定した場合、記録再生制御部１００４は、Ｗｅｂブラウザ１００３に対して、現在表示されているＷｅｂページコンテンツ情報の次のＷｅｂページコンテンツ情報の表示を依頼する。Ｗｅｂブラウザ１００３は、依頼を受けて、次に表示するのに適したＷｅｂページコンテンツ情報を選択し、表示を行う（Ｓ６０１１）。
【０１０９】
図２０は、本実施形態における、録画時の関連Ｗｅｂページコンテンツの蓄積タイミングと、録画番組の再生時において表示する関連Ｗｅｂページの関係を説明する図である。以下、図２０を参照して、Ｓ６００６やＳ６０１１で行う関連Ｗｅｂページコンテンツ情報の選択方法、及びＳ６０１０で行う表示切り替えの判定方法について説明する。
【０１１０】
図中、録画番組を『番組a』、蓄積した関連Ｗｅｂページコンテンツ情報を『関連Ｗｅｂページコンテンツ情報b』とした。図２０（ａ）は、番組aの録画期間と、関連Ｗｅｂページコンテンツ情報bの蓄積タイミングとの関係を示している。また、図２０（ｂ）は、録画した番組aの再生時間の経過と、表示する関連Ｗｅｂページコンテンツ情報bとの関係を示している。いずれも横軸は時間であり、録画時と再生時の関係がわかりやすいよう、時間軸の起点を揃えて図示している。
【０１１１】
図２０（ａ）に示す録画及び蓄積動作を参照すると、関連Ｗｅｂページコンテンツ情報bの最初の蓄積タイミングは、番組aの開始直前である（Ｄ３０１）。この時点で蓄積された関連Ｗｅｂページコンテンツ情報bは、コンテンツ１としてＷｅｂページ蓄積部１００６内に蓄積される。
【０１１２】
その後、番組aの録画を開始した後、２回目の関連Ｗｅｂページコンテンツ情報bの蓄積を行う（Ｄ３０２）。この情報は、コンテンツ２としてＷｅｂページ蓄積部１００６内に蓄積する。そして、番組aの録画が終了した後、最後のＷｅｂページコンテンツ情報bの蓄積を行う（Ｄ３０３）。この情報は、コンテンツ３としてＷｅｂページ蓄積部１００６内に蓄積する。ここまでの録画（蓄積）動作の詳細フローについては、既に図１８を用いて説明を行っているため、ここでは詳細説明を繰り返さない。
【０１１３】
次に、図２０（ｂ）の再生動作を参照する。ユーザが、録画番組を再生中のあるタイミング（Ｄ３０４）に、（蓄積済みの）関連Ｗｅｂページの閲覧指示を行ったとする。このタイミングより前で、最も近い蓄積タイミングはＤ３０１であるため、記録再生制御部１００４はコンテンツ１を表示するようにＷｅｂブラウザ１００３に指示する（Ｓ３００６のステップに該当）。
【０１１４】
その後、番組aの再生が進み、コンテンツ２を蓄積したタイミングＤ３０２に対応するタイミングＤ３０５になると、記録再生制御部１００４は、表示すべき関連Ｗｅｂページコンテンツ情報bを、コンテンツ１からコンテンツ２へ自動（もしくは手動）で切り替える（Ｓ６０１１のステップに該当）。
【０１１５】
このタイミングＤ３０５は、番組aを録画した時にコンテンツ２を蓄積したタイミングＤ３０２と同期している。そのため、番組の先頭からの経過時間を用い、蓄積時のタイミングと同じタイミングに達したことが検出されたらＷｅｂページコンテンツ情報の表示を次のコンテンツ情報に切り替えるものと判定することができる。
【０１１６】
具体的には、録画時のコンテンツ蓄積タイミングの各々について、図１７における番組スタート時間と蓄積日時との差分を求め、番組先頭からの経過時間に換算する。そして、この換算結果と、再生時の番組経過時間（番組先頭からの経過時間）との比較より、コンテンツの表示切り替えをすべきタイミングになったか否かを判定する。
【０１１７】
従って、コンテンツ２の蓄積タイミングが番組先頭からｔ１経過後のタイミングであれば、再生時に番組先頭からｔ１経過したことをＳ６０１０で検出したら、Ｓ６０１１においてコンテンツ２の表示へ切り換える。
【０１１８】
その後、同様にして、番組aの再生が終了した後、Ｄ３０６のタイミングで、表示すべき関連Ｗｅｂページコンテンツ情報bは、コンテンツ２からコンテンツ３へ自動（もしくは手動）で切り替えされる。このタイミングＤ３０６も、コンテンツ３の蓄積タイミングＤ３０３と同期している。このように、経過時間の進行に伴い、表示すべきコンテンツを順次自動的に切り替える。
【０１１９】
以上説明したように、第２の実施形態では、第１の実施形態と同様の効果に加え、同一関連ページのコンテンツ情報を異なるタイミングで複数回取得、蓄積することを可能とした。また、再生時にも、再生時間に応じ、適切なタイミングで蓄積した関連Ｗｅｂページを提示する。
【０１２０】
特に、関連Ｗｅｂページの更新があった際に自動蓄積する場合には、再生時にも放送時と同様のタイミングで関連Ｗｅｂページの内容が更新されて表示される。従って、ユーザは、録画番組を放送時に視聴したのと同様に楽しむことができる。
【０１２１】
なお、本実施形態では、再生時に関連Ｗｅｂページコンテンツ情報を自動的に切り替えて表示するものとして説明したが、自動的に切り替えて表示するか、ユーザの指示に応じて手動で切り替え表示するかを設定可能としても良い。手動で切り替え表示する場合には、例えば表示を切り替えるタイミングになった時点で表示を切り替えるかどうか問い合わせるＧＵＩ画面を提示し、指示があった場合のみ次のＷｅｂページコンテンツ情報を表示するようにすればよい。
【０１２２】
＜第３の実施形態＞
第１の実施形態及び第２の実施形態にてＷｅｂページ蓄積部１００６に蓄積していた関連Ｗｅｂページのコンテンツ情報を、録画番組と同じパーシャルＴＳデータ内に多重することで、番組録画装置３０００に蓄積することができる。
【０１２３】
本実施形態ではこのような構成について、第１の実施形態と対比しながら説明する。
図２１は、第３の実施形態に係るコンテンツ格納制御装置の一例としての放送受信機４００１の構成例と、関連する外部装置とを示す図である。
【０１２４】
図１と異なるのは、Ｗｅｂページ蓄積部１００６及び対応情報保持部１００５が省略されている点であり、他の構成は図１と共通である。ただし、本実施形態においては、通信部１００９は、デコード部１０１０に対して、Ｗｅｂサーバー２０００から取得した関連Ｗｅｂページのコンテンツ情報を受け渡すことが可能である。
第３の実施形態に係る番組の録画予約処理は、第１の実施形態（図４）と同様であるため、ここでは詳細説明は割愛する。
【０１２５】
（録画処理・Ｗｅｂページコンテンツ情報収集処理）
図２２は、本発明の第３の実施形態に係る放送受信機における番組の予約録画実行処理及びＷｅｂページの蓄積処理を説明するフローチャートである。
【０１２６】
なお、図２２は、録画予約処理において、Ｗｅｂページの蓄積タイミングが「番組開始直前」と決定された場合の処理手順を示している。記録再生制御部１００４は蓄積予約情報内の蓄積時間に基づき、蓄積時間（録画予約された番組の開始時刻の所定時間前）になったことを検出する。そして、記録再生制御部１００４は、通信部１００９に対して、蓄積予約情報内のアドレス情報に対応するＷｅｂページのコンテンツ情報の取得を依頼する。この依頼に応答して、通信部１００９は、関連Ｗｅｂページのコンテンツ情報を保持するＷｅｂサーバー２０００にアクセスし、関連Ｗｅｂページのコンテンツ情報の取得を行う（Ｓ７００１）。そして、通信部１００９は、取得した関連Ｗｅｂページのコンテンツ情報を、デコード部１０１０に渡す。
【０１２７】
デコード部１０１０は、受信した関連Ｗｅｂページのコンテンツ情報から、DSM-CC（Digital Storage Media Command and Control)データを作成する（Ｓ７００２）。これは、現在のデジタル放送のデータ放送で採用されているデータ形式である。
【０１２８】
図２３（ａ）〜（ｃ）は、デコード部１０１０が、受信したコンテンツ情報からDSM-CCデータを作成する手順を模式的に示す図である。
Ｗｅｂページを構成するコンテンツ情報には、様々な種類、サイズのファイルが存在しうるが、図２３（a）では、コンテンツ情報がHTMLドキュメントデータ、PNGデータ、JPEGデータから構成される例を示している。デコード部１０１０は、まずこれらのデータファイルをモジュールという単位に再構成する。モジュールは、一つ以上のデータファイルから構成される（図２３（ｂ））。次いで、デコード部１０１０は、作成したモジュールからDSM-CCデータを作成する（図２３（ｃ））。DSM-CCデータはDDB（DownloadDataBlock)データ、DII（DownloadInfoIndication)データから構成される。DDBデータは、モジュールを固定長のデータに分割したものである。DIIデータは、モジュールに関する情報を格納する。DDIデータが格納する情報としては、モジュールを構成するDDBを識別する情報やDDBのバージョン情報などがある。
【０１２９】
以上の手順により、関連Ｗｅｂページコンテンツ情報からDSM-CCデータが生成される。生成されたDSM-CCデータは例えば図示しないデコード部１０１０の内部記憶装置に一時記憶される。特に説明しないが、DSM-CCデータの生成処理は、他の蓄積タイミングにおいても同様に実施される。
【０１３０】
その後、記録再生制御部１００４は、録画予約設定情報内に記載される録画開始時間になると、同じく録画予約設定情報内に記載された番組の録画を、ＴＶ受信部１００１、デコード部１０１０、外部Ｉ／Ｆ部１００８にそれぞれ依頼する（Ｓ７００３）。ＴＶ受信部１００１は、番組を受信後、ＴＳデータ化して、デコード部１０１０に転送する。デコード部１０１０は、ＴＶ受信部１００１から受信したＴＳデータを用い、上述のようにパーシャルＴＳデータを生成する。外部Ｉ／Ｆ部１００８は、録画予約設定情報内に記載された録画先（番組録画装置３０００）に対してパーシャルＴＳデータを出力する。またこのとき、デコード部１０１０は、内部記憶装置に記憶してあったDSM-CCデータをTSパケット化してパーシャルＴＳデータ内に格納する（図２３（ｄ））。また、デコード部１０１０は、ある周期で同一のDSM-CCデータを繰り返し格納する。これはデジタル放送のデータ放送と同一の配信方法であり、データカルーセル方式と呼ばれる。
【０１３１】
また、データ放送のデータと、関連Ｗｅｂページのコンテンツ情報とを区別するため、デコード部１０１０は、パーシャルＴＳデータに格納するＰＭＴ内に、両者を識別するための情報を付加する。
【０１３２】
図２４に、本実施形態においてデコード部１０１０が出力するパーシャルＴＳデータ内に含まれるＰＭＴのデータ構造を示す。
ＰＭＴは、パーシャルＴＳデータ内に含まれるストリーム（映像や音声、字幕など）やデータ（データ放送データなど）のマップ情報を含み、Ｄ２０１で示される部分には、各ストリームや各データの情報がそれぞれ格納される。例えば、ある映像ストリームの場合、Ｄ２０１には、映像用パケットを識別するためのＩＤ（エレメンタリーＰＩＤ）や、コピー制御に関する情報などが格納される。ここでＤ２０１にＷｅｂページコンテンツ情報に関する情報が記載されている場合、Ｄ２０２の記述子領域内には、データ符号化記述子（Ｄ２０３）を必ず含むようにする。
【０１３３】
更に、データ符号化記述子のデータ符号化方式識別情報（Ｄ２０４）の値に、現在運用されている値とは異なる値を割り当てる。このデータ符号化方式識別情報は、データ放送データや字幕には含まれる可能性があるため、これらに割り当てられているデータ符号化方式識別情報とは異なる値とし、区別をつけられるようにする。
【０１３４】
番組録画装置３０００は、パーシャルＴＳデータをＤＶＤ，ＨＤＤ等の記憶媒体に所定の方式で記録する。
【０１３５】
（再生処理）
図２５は、本発明の第３の実施形態に係る放送受信機における再生処理を説明するフローチャートである。
図１０に示した第１の実施形態での再生処理と同じ処理を行なうステップについては同じ参照符号を付与して説明を省略する。以下では、本実施形態に特徴的なＳ８００３とＳ８００７のステップでの処理についてのみ説明する。
【０１３６】
録画番組の再生中、記録再生制御部１００４は関連Ｗｅｂページの閲覧を要求するリモコン情報を受信すると、再生中の録画番組の関連Ｗｅｂページが登録有無を調べる（Ｓ３００２）。具体的には、記録再生制御部１００４は、デコード部１０１０から通知された録画番組の情報を用いて内部メモリに記憶された情報を探索し、関連Ｗｅｂページの有無を確認する。
【０１３７】
関連Ｗｅｂページが存在する場合、記録再生制御部１００４は、デコード部１０１０を介して、番組録画装置３０００から受信したパーシャルＴＳデータ中に、当該番組に関するＷｅｂページコンテンツ情報が格納されていないか確認する（Ｓ８００３）。この確認作業は、パーシャルＴＳデータ内のＰＭＴに格納されているデータ符号化方式識別情報の値を識別することである。関連Ｗｅｂページコンテンツ情報に対応するデータ符号化方式識別情報の値が確認された場合、記録再生制御部１００４は、パーシャルＴＳデータ中に当該番組に関するＷｅｂページコンテンツ情報が格納されていると判断し、Ｓ３００５の処理を実行する。Ｗｅｂページコンテンツ情報に対応するデータ符号化方式識別値がない場合、記録再生制御部１００４は、Ｗｅｂページコンテンツ情報が格納されていないと判断し、Ｓ３００４の処理を実行する。
【０１３８】
また、Ｓ３００２にて、関連Ｗｅｂページが存在しない場合でも、記録再生制御部１００４は、Ｓ８００７において、Ｓ８００３と同様の確認処理を行なう。ここで確認した結果、パーシャルＴＳデータ中に当該番組に関するＷｅｂページコンテンツ情報が格納されていると判断される場合、記録再生制御部１００４はＳ３００６で表示を行う。Ｓ８００７において、Ｗｅｂページコンテンツ情報が格納されていないと判断される場合、記録再生制御部１００４はそのまま処理を終了する。
【０１３９】
なお、Ｓ８００３及びＳ８００７で行った処理は、ユーザからのＷｅｂページ閲覧要求に応答して行う必要はなく、Ｓ３００１で録画番組の再生を開始してから、任意のタイミングで自発的に表示を行っても良い。
【０１４０】
以上のように、第３の実施形態によれば、関連Ｗｅｂページのコンテンツ情報を、番組データと多重化して番組録画装置３０００に蓄積するので、放送受信機４００１の構成を簡便にすることができる。また、関連Ｗｅｂページのコンテンツが番組のデータと共に多重化されているので、番組録画装置３０００を番組録画時と異なる放送受信機４００１と接続しても、関連Ｗｅｂページの閲覧が可能である。このように、蓄積した関連Ｗｅｂページコンテンツ情報の再利用性を高めることができる。
【０１４１】
なお、本実施形態の構成は、第２の実施形態と組み合わせることも可能である。
第２の実施形態と組み合わせる場合、異なるＷｅｂページコンテンツ情報を同一のパーシャルＴＳデータへ格納出来るようにすればよい。具体的には、図２０（ａ）のタイミングＤ３０１からＤ３０２までの間はコンテンツ１の関連Ｗｅｂページコンテンツ情報を繰り返し格納する。そして、タイミングＤ３０２からＤ３０３までは、コンテンツ２の関連Ｗｅｂページコンテンツ情報を繰り返し格納する。
【０１４２】
また、関連Ｗｅｂページのコンテンツの種類の切り換えタイミングを再生時に検出するための情報も、録画時にＰＭＴあるいは関連Ｗｅｂページコンテンツ情報のDSM-CCデータ内に格納する。後者の場合、例えば、DSM-CCデータのDIIデータ内のdata_event_idを使用することができる。タイミングＤ３０１からＤ３０２までは、同一のdata_event_idの値を使用し、コンテンツ２に切換った段階でdata_event_idの値を変更する（例えば増加させる）。
【０１４３】
再生時には、パーシャルＴＳデータ内のdata_event_idの値を監視することで、関連Ｗｅｂページの内容変化（更新タイミング）を判別することができる。
【０１４４】
＜第４の実施形態＞
上述の実施形態では、番組録画装置３０００が放送受信機１０００、４００１と別の装置である構成について説明した。しかし、番組録画装置３０００と同様の機能を放送受信機１０００、４００１が内蔵してもよい。
【０１４５】
図２６は、本発明の第４の実施形態に係るコンテンツ格納制御装置の一例としての放送受信機５００１の構成例を示す図である。図２６において、図１と同じ構成要素には同じ参照数字を付した。
【０１４６】
図２６と図１との比較から明らかなように、本実施形態の構成では、番組録画装置３０００をと同様の録画機能を有する番組録画部１０１１を内蔵し、外部Ｉ／Ｆ部１００８が廃されている点が異なる。
また、本実施形態における記録再生制御部１００４及びデコード部１０１０は、それぞれ番組録画部１０１１に対する制御、及びデータの受け渡しを行う。
【０１４７】
本実施形態においては、番組録画装置３０００の代わりに番組録画部１０１１が番組データの記録、読み出しを行うことを除き、上述した第１〜第４の実施形態に係る放送受信機１０００、４００１と同様の動作を行うことが可能であるため、動作に関する説明は省略する。
【０１４８】
本実施形態では、放送受信機単体で上述した各実施形態の機能を実現することが可能になる。
（他の実施形態）
上述の実施形態では、予約録画を前提として説明したが、放送時に録画指示があった場合にも同様に、関連Ｗｅｂページのコンテンツ情報の蓄積処理と、再生時の関連Ｗｅｂページ表示処理とを行なうことが可能である。
【図面の簡単な説明】
【０１４９】
【図１】本発明の第１の実施形態に係るコンテンツ格納制御装置の一例としての放送受信機１０００の構成例と、関連する外部装置とを示す図である。
【図２】図１のデコード部１０１０が、録画番組のＴＳデータをパーシャルＴＳデータへ変換する処理を模式的に示す図である。
【図３】図１の対応情報保持部１００５に記憶される対応情報リストの例を示す図である。
【図４】本発明の第１の実施形態に係る放送受信機１０００における番組録画予約処理を説明するフローチャートである。
【図５】図４のＳ１００４で記録再生制御部１００４が表示させる確認画面の例を示す図である。
【図６】図４のＳ１００６において記録再生制御部１００４が表示させる問い合わせ画面の例を示す図である。
【図７】図４のＳ１００９において記録再生制御部１００４が表示させるタイミング設定画面の例を示す図である。
【図８】本発明の第１の実施形態に係る放送受信機における番組の予約録画実行処理及びＷｅｂページの蓄積処理を説明するフローチャートである。
【図９】パーシャルＴＳデータ内に含まれるＳＩＴのデータ構造を示す図である。
【図１０】本発明の第１の実施形態に係る放送受信機における再生処理を説明するフローチャートである。
【図１１】図１０のＳ３００５において記録再生制御部１００４が表示させるタイミング設定画面の例を示す図である。
【図１２】第２の実施形態に係る放送受信機１０００における番組の録画予約処理を説明するフローチャートである。
【図１３】図１２のＳ７００９で記録再生制御部１００４がユーザに提示するＧＵＩ画面例を示す図である。
【図１４】、
【図１５】、
【図１６】図１２のＳ７０１１で記録再生制御部１００４が提示する自動更新設定画面の例を示す図である。
【図１７】本発明の第２の実施形態における対応情報リストの例を示す図である。
【図１８】本発明の第２の実施形態に係る放送受信機１０００における、番組の予約録画実行処理及びＷｅｂページの蓄積処理を説明するフローチャートである。
【図１９】本発明の第２の実施形態に係る放送受信機における再生処理を説明するフローチャートである。
【図２０】本発明の第２の実施形態における、録画時の関連Ｗｅｂページコンテンツの蓄積タイミングと、録画番組の再生時において表示する関連Ｗｅｂページの関係を説明する図である。
【図２１】本発明の第３の実施形態に係るコンテンツ格納制御装置の一例としての放送受信機４００１の構成例と、関連する外部装置とを示す図である。
【図２２】本発明の第３の実施形態に係る放送受信機における番組の予約録画実行処理及びＷｅｂページの蓄積処理を説明するフローチャートである。
【図２３】本発明の第３の実施形態において、デコード部１０１０が、受信したコンテンツ情報からDSM-CCデータを作成する手順を模式的に示す図である。
【図２４】本発明の第３の実施形態において、デコード部１０１０が出力するパーシャルＴＳデータ内に含まれるＰＭＴのデータ構造を示す。
【図２５】本発明の第３の実施形態に係る放送受信機における再生処理を説明するフローチャートである。
【図２６】本発明の第４の実施形態に係るコンテンツ格納制御装置の一例としての放送受信機５００１の構成例を示す図である。
【図１】
2008136168.tif 000003
【図２】
2008136168.tif 000004
【図３】
2008136168.tif 000005
【図４】
2008136168.tif 000006
【図５】
2008136168.tif 000007
【図６】
2008136168.tif 000008
【図７】
2008136168.tif 000009
【図８】
2008136168.tif 000010
【図９】
2008136168.tif 000011
【図１０】
2008136168.tif 000012
【図１１】
2008136168.tif 000013
【図１２】
2008136168.tif 000014
【図１３】
2008136168.tif 000015
【図１４】
2008136168.tif 000016
【図１５】
2008136168.tif 000017
【図１６】
2008136168.tif 000018
【図１７】
2008136168.tif 000019
【図１８】
2008136168.tif 000020
【図１９】
2008136168.tif 000021
【図２０】
2008136168.tif 000022
【図２１】
2008136168.tif 000023
【図２２】
2008136168.tif 000024
【図２３】
2008136168.tif 000025
【図２４】
2008136168.tif 000026
【図２５】
2008136168.tif 000027
【図２６】
2008136168.tif 000028